Podtech/llm-jp-corpus-v4-ja_patent huggingface dataset:
(57)【要約】      （修正有）【課題】片手鍋の持ち上げ力の軽減ができる取っ手の構造を提供する。【解決手段】鍋５の外周より洩れるガスの炎の熱による加熱防止用プロテクタ３を取付けその一端部に、合成樹脂の取っ手１と一体成形された取っ手取付金具２の一端部を接合し、取っ手１の先端部が鍋５の中央部上方に向けて傾斜した状態で、取っ手１が鍋５の外周上の位置になる取付け構造とした。【選択図】図１
0003128755.tif 000002
【実用新案登録請求の範囲】
【請求項１】
鍋の外周面に、への字形状に成形された板状の金属製プロテクタ兼取付金具（以下プロテクタ）の一端部を固定し、前記鍋の外周面のやや斜め上方に伸びた前記プロテクタの他端部に、合成樹脂の取っ手と一体成形された棒状で、への字形状に成形された金属製取っ手取付金具の一端部を接合し、前記取っ手の先端部が前記鍋の中央部上方に向けて傾斜した状態になる取っ手取付け構造を特徴とする片手鍋。
【考案の詳細な説明】
【技術分野】
【０００１】  本考案は、調理時に使用する片手鍋の取っ手取付け構造に関する。
【背景技術】
【０００２】  従来の片手鍋は鍋本体に対し、取っ手の位置が鍋本体とほぼ水平状態で外側へ伸びていて持ち手部が鍋本体から離れた構造である。【０００３】
【参考文献】
実公昭４６−１３２３９。蓋体の周縁下部にパッキングを付着すると共に安全弁を内蔵した摘みを蓋体に取り付けこの蓋体を回転自在に取り付けた把手で本体に締着することによって圧力鍋として用いることができるようにしたものである。
【参考文献】
実全昭６１−２０１６４４ケットル兼用片手鍋。注口を有する容器に設けた受金具に把手柄の一端を回動可能に取り付けると共に、該受金具と把手柄との間に把手柄が容器の側方に突出し、或いは容器の上方に沿うように選択的に切換えと固定ができるようにしたもの。
【参考文献】
実開平５−４４０１３片手鍋。蓋体上に把手部を回動して折りたたんだ状態で、把手部を把持して持ち運ぶことができ、さらに把手部により蓋体を押圧しているので圧力鍋として利用できる片手鍋である。
【０００４】  上記考案において、片手鍋として調理で使用する場合は従来の片手鍋の使用方法と同一であり、調理時の具を入れた際の持ち手にかかる負荷の軽減を考慮した取っ手構造め片手鍋はみつからなかった。
【考案の開示】
【考案が解決しようとする課題】
【０００５】  本考案は取っ手を鍋本体に接近させ、持ち手の負荷を軽減できる取っ手構造を提供する。
【考案を解決するための手段】
【０００６】  片手鍋の外周より洩れるガスの炎の熱による加熱防止用の、への字形状に成形された板状の金属製プロテクタ３の一端部を鍋５の外周面に固定し、鍋５の外周面より若干斜め上方に伸びたプロテクタ３の他端部に、合成樹脂の取っ手１と一体成形された棒状で、への字形状に成形された金属製取っ手取付金具２の一端部を接合し、取っ手１の先端部が鍋の中央部上方に向けて傾斜した状態で、鍋５の外周上方の位置になる取付け構造とした。
【考案の効果】
【０００７】  プロテクタ３の取付けで、鍋５の外周より洩れるガスの炎の熱で取っ手１の加熱及び手の火傷の防止ができ、取っ手１の上端部を鍋５の中央部上方に向けて傾斜した状態で、鍋５の外周上方の位置に取付けたことにより、従来の片手鍋に対し、鍋５の重心部に近い所を持ち上げることになる為、調理用の具を入れた状態で持ち上げた場合、持ち手にかかる負荷は従来の片手鍋に対し大幅に軽減できる。さらに、取っ手１を傾斜させたことにより取っ手１が握り易くなって、手首にかかる負荷も軽減できる。
【考案を実施するための最良の形態】
【０００８】  以下、本考案を図１から図３に基づいて説明する。
一般的な片手鍋本体５を基本にして、その外周面上部に、への字形状に成形された板状の金属製のプロテクタ３を取付けるための鋲４を挿入できる穴を鍋５に設け、プロテクタ３の一端部が鍋５の外周面に密着した状態で取付け面より若干上方に傾斜して取付けできる鍋５の取付け穴の位置に合わせた同一の穴を設けて、鍋５とプロテクタ３の穴を合わせて密着させ、鋲４を鍋５の内側より取付け穴に挿入して貫通させ、一方向でカシメて固定する。合成樹脂の取っ手１と一体成形された棒状で、への字形状に成形された金属製の取っ手取付金具２の一端部を、鍋５に取付けられたプロテクタ３の一端部の下に重ね合わせ、取っ手１の先端部が鍋５の中央部上方に向けて傾斜した状態で鍋５の外周上方の位置になるようセットして、抵抗溶接で接合し、取っ手１とプロテクタ３を固定する。【０００９】  本考案の使用方法は、傾斜して取り付けられた取っ手を片手で握り、持ち上げて移動させる。
【図面の簡単な説明】
【図１】本考案による斜め取っ手の片手鍋の正面図
【図２】本考案による斜め取っ手の片手鍋の右側面図
【図３】本考案による斜め取っ手の片手鍋の平面図
【符号の説明】
１、取っ手
２、取っ手取付金具
３、プロテクタ兼取付金具
４、鋲
５、鍋
【図１】
0003128755.tif 000003
【図２】
0003128755.tif 000004
【図３】
0003128755.tif 000005
(57)【要約】【課題】  本考案は霊亀元年（７１５）年ごろから天神様（太宰府天満宮）とご縁の深く、お清めの塩として福へのご縁をとりもち、神事・一般家庭の故事習慣にも使用できる太宰府紅白塩を封入しているので、盛り塩の一般的目的である客の足を止めるだけでなく、清浄・不変・結合などの神聖性といった効果をえる。【解決手段】  本考案は和紙１に透明ビニール２を被着し、盛り塩型固着部３を設け円錐状と成して盛り塩型４とし、和紙容器表５・和紙容器裏６に開封口７、圧着部９、強化圧着部１０を設け、塩内装部８に塩を充填して白塩とし、塩に梅肉を混合して製造した塩を紅塩として、これを前述と同様に製造した別容器の塩内装部８に充填して紅塩となし、盛り塩型・白塩・紅塩を１セットにして包装セロハン１１に挿入し、縛紐１２で巻回して、九州国立博物館、参道店舗、デパート等で販売する。【選択図】図４
0003128754.tif 000002
【実用新案登録請求の範囲】
【請求項１】
和紙に透明ビニールを被着し、盛り塩型固着部を設け円錐状と成して盛り塩型とし、和紙容器表・和紙容器裏に開封口、圧着部、強化圧着部を設け、塩内装部に塩を充填して白塩とし、塩に梅肉を混合して製造した塩を紅梅塩として、これを前述と同様に製造した別容器の塩内装部に充填して紅塩となし、盛り塩型・白塩・紅塩を１セットにして包装セロハンで包装することを特徴とする太宰府紅白盛り塩。
【考案の詳細な説明】
【技術分野】
【０００１】  本考案は、透明ビニール被着和紙を円錐状として盛り塩型を成し、和紙容器の周囲を圧接し、塩内装部を設け、白塩・紅塩を各々封入し、盛り塩型・白塩・紅塩を１セットにして包装した太宰府紅白盛り塩に関するものである。
【背景技術】
【０００２】  塩は古来から人間の生活に欠かすことのできないものであり、昔は塩を手に入れるために交易ルートを作ったり、貨幣として使った地域もあった程である。信仰的にも塩が使用され、昔から清浄・不変・結合といった神聖性をそなえているものとして、様々な国で神秘的な物として捉えられていた。例えば「旧約聖書」にも塩の記載があり、日本では「古事記」に海水で禊祓いをした記載がある。これを盛った盛り塩は中国の故事に由来し、客の足を止めるための縁起物であり、これが日本にも伝わり料理屋、寄席などで掃き清めた門口に縁起を担ぐ盛り塩をする習慣ができた。
【考案の開示】
【考案が解決しようとする課題】
【０００３】  太宰府天満宮とご縁の深い塩である、商標登録「紅白塩」登録第４９７１３４４号、実用新案登録「太宰府紅白塩」登録第３１２３０５７号を使って、盛り塩をしたいという声が、様々な方面から発せられているにもかかわらず、その声に応えて供給するシステムがないという欠点を解決しようとするものである。
【課題を解決するための手段】
【０００４】  本考案は、和紙に透明ビニールを被着し、盛り塩型固着部を設け円錐状と成して盛り塩型とし、和紙容器表・和紙容器裏に開封口、圧着部、強化圧着部を設け、塩内装部に塩を充填して白塩とし、塩に梅肉を混合して製造した塩を紅梅塩として、これを前述と同様に製造した別容器の塩内装部に充填して紅塩となし、盛り塩型・白塩・紅塩を１セットにして包装セロハンで包装し、九州国立博物館、参道店舗、デパート等で販売することにより問題点を解決している。
【考案の効果】
【０００５】  霊亀元年（７１５）年ごろから天神様（太宰府天満宮）とご縁の深く、お清めの塩として福へのご縁をとりもち、神事・一般家庭の故事習慣にも使用できる太宰府紅白塩を封入しているので、盛り塩の一般的目的である客の足を止めるだけでなく、清浄・不変・結合などの神聖性といった効果も期待できる。
【考案の実施するための最良の形態】
【０００６】  和紙容器の内側に透明ビニールを被着することにより、湿気を遮断し、凝固を防ぐことを実現した。そして、盛り塩型の上部に太宰府紅白塩の紅塩、下部に太宰府紅白塩の白塩あるいは反対に盛り塩型の上部に太宰府紅白塩の白塩、下部に太宰府紅白塩の紅塩を充填した後、料理屋、寄席、店舗などの掃き清めた門口に盛り塩型を置き、静かに盛り塩型を脱型する。
【実施例】
【０００７】  以下、添付図面に従って一実施例を説明する。１は和紙であり盛り塩型となるが、湿気防止のため２の透明ビニールが被着されており、略扇状にカッティングされた後に、円錐状の形を保つために３の盛り塩型固着部で固着して円錐状である４の盛り塩型が成型されている。【０００８】１は和紙であり容器ともなるが、湿気防止のため上述と同様に２の透明ビニールが被着されており、適当にカッティングされた後に５の和紙容器表、６の和紙容器裏をなし、片側に７の開封口が刻設されている。この容器に白塩又は紅塩を８の塩内装部に充填した後、９の圧着部、１０の強化圧着部をプレス機にて圧着する。【０００９】  セロハンを成形機にて袋状となし１１の包装セロハンを成形し、盛り塩型・白塩・紅塩を１１の包装セロハンに挿入し、１２の縛紐で巻回する。【００１０】  型の中に納まった盛り塩を、料理屋、寄席、店舗などの掃き清めた門口に置き、静かに型をはずせば、紅白の盛り塩が形成される。【００１１】  本考案の一実施例は上述の如き構成からなるものであるから、紅白の盛り塩が形成されることは勿論であるが、天神様（太宰府天満宮）に由来する、お清めの塩として福へのご縁をとりもち、神事・一般家庭の故事習慣にも使用できる塩を使用しているので、盛り塩をした当人にも精神的やすらぎを与える。
【図面の簡単な説明】
【００１２】
【図１】  和紙の断面図である。
【図２】  本考案の盛り塩型固着前の斜視図である。
【図３】  本考案の白塩、紅塩を封入した正面斜視図である。
【図４】  本考案の白塩、紅塩を封入した側面斜視図である。
【図５】  包装セロハン、縛紐の斜視図である。
【符号の説明】
１．和紙
２．透明ビニール
３．盛り塩型固着部
４．盛り塩型
５．和紙容器表
６．和紙容器裏
７．開封口
８．塩内装部
９．圧着部
１０．強化圧着部
１１．包装セロハン
１２．縛紐
【図１】
0003128754.tif 000003
【図２】
0003128754.tif 000004
【図３】
0003128754.tif 000005
【図４】
0003128754.tif 000006
【図５】
0003128754.tif 000007
(57)【要約】【課題】  本考案は、楽しく遊びながらバランス感覚を養い、足腰を鍛え、且つ健康の増進にも役立てることを目的とする。【解決手段】  人が半開脚して乗れる適当な大きさの板（以後、乗り板と称する）の下面の重心部に、円錐状又は半球状の頂点を下向きにした、ゴム又は軟質プラスチックを素材とする支点を一つ設け、全方向不安定な状態にし、乗り板の下面の縁が床（地面）に着かないようにバランスを取りながら乗る。【選択図】図１
0003128752.tif 000002
【実用新案登録請求の範囲】
【請求項１】
人が半開脚して乗れる適当な大きさの板の下面の重心部に、円錐状又は半球状の頂点を下向きにした、ゴム又は軟質プラスチックを素材とする支点を一つ設けた構成の遊具。
【考案の詳細な説明】
【技術分野】
【０００１】  本考案は、支点が一つの不安定な板に、バランスを取りながら乗って遊ぶ遊具である。
【背景技術】
【０００２】
【考案の開示】
【考案が解決しようとする課題】
【０００３】  本考案は、楽しく遊びながら足腰を鍛えて身体のバランス感覚を養い、且つ健康の増進にも役立てることを目的とする。
【課題を解決するための手段】
【０００４】  人が半開脚して乗れる適当な大きさの板（以後、乗り板と称する）の下面の重心部に、頂点を下向きにした、円錐状又は半球状の支点を一つ設け、全方向不安定な状態にし、乗り板の下面の縁が床（地面）に着かないように、バランスを取りながら乗る。
【考案の効果】
【０００５】  バランスを取りながら乗るために足腰が鍛えられ、身体のバランス感覚が養える。さらに、乗り板の上面に凹凸や疣々等を設けることで、足の裏を刺激して健康増進が図れる。
【考案を実施するための最良の形態】
【０００６】  本考案に係るバランスボードは、図１の断面図に示すように、乗り板の下面の重心部に、円錐状又は半球状の頂点を下向きにした、ゴム又は軟質プラスチックを素材とする支点を一つ設けた構成である。
乗り板の平面形状は、円形・多角形・不定形等自由であり、素材も人が乗って壊れない程度の強度を有するものであれば、木材・プラスチック・金属等自由である。
乗り板の縁が接地した場合に床が傷つかないように、縁にゴム等の柔軟素材を設けたり、縁の下側を丸くすることは自由である。
【図面の簡単な説明】
【０００７】
【図１】  当考案に係るバランスボードの断面図である。
【符号の説明】
【０００８】      １    乗り板
２    支点
３    縁に設けた柔軟材
４    床又は地面
【図１】
0003128752.tif 000003
(57)【要約】      （修正有）【課題】本考案は、日本弓道用人造和弓に  本来在るべき節々を備える事により、より伝統和弓に近い人造竹弓を提供する。【解決手段】竹弓所定の１３位置へ  節状の型材を接着し  それを覆う様に補強塗装する。節は弓の製作工程の中程  反り加工後、籐巻き前後に施す事も可能で、仕上げ加工時  より天然竹材の様に外観を整える事が可能である。【選択図】図１
0003128757.tif 000002
【実用新案登録請求の範囲】
【請求項１】
ＦＲＰなどへ節状造形物を固定した人造竹弓。
【考案の詳細な説明】
【技術分野】
【０００１】  本考案は、日本弓道用人造和弓に  本来在るべき節々を備える事により、より伝統和弓に近い人造竹弓を造り、弓道鍛錬の一助と成る事を願うものである。
【背景技術】
【０００２】  従来人造和弓は  構造部材そのままに  上切詰籐から下切詰籐まで  全く平な力学形状で、弾性のみ考えれば  最適かも知れないが、所作や  矢番え、引き分け、会に至る行射での  所作動作の節々を知る目標が無い事は  やはり不都合な事である。【０００３】和弓の材料である天然の竹材も  節々の位置が揃い難く、いっそ無い事を好む人も居るが、やはり在るのが本来だから、各自が保有する弓は  内竹に６ケ所、外竹に７ケ所  誰でも  同様の位置に節が在る事が望ましい。
【考案の開示】
【考案が解決しようとする課題】
【０００４】  元来等径で真っ直ぐな人造竹に  必要にして充分な強度の節を後加工で設し、それが竹弓の性能を損ねる事は許されない
【課題を解決するための手段】
【０００５】  そこで本考案では、竹弓所定の１３位置へ  節状の型材を接着し  それを覆う様に補強塗装する。
【考案の効果】
【０００６】  本考案の節は弓の製作工程の中程  反り加工後、籐巻き前後に施す事も可能で、仕上げ加工時  より天然竹材の様に外観を整える事が可能である。
【考案を実施するための最良の形態】
【０００７】  図１の▲１▼の通り  関板加工・楔打ち・反り曲り確認の後に節の位置決めをする。
次に  ▲２▼の通り  節位置を下地処理加工し、型材を接着する。
次に  ▲３▼の通り  村取り加工・彩色加工・籐巻き加工の後  仕上塗装加工する。
【実施例１】
【０００８】  図２の▲１▼の通り  竹節の様な断面をした繊維性浸透性帯を別途製作し、準備する。
次に  ▲２▼の通り  浸透性硬化性接着剤で固定し、竹節様彩色と補強塗装を施す。
【産業上の利用可能性】
【００１０】  天然の竹材を模した国内外材は種々応用されているが、節を任意の位置へ施す事は困難であった。当考案によれば容易に施す事ができる。
【図面の簡単な説明】
【００１１】
【図１】人造竹弓の請求項１に関わる作成の全工程を示す図である。
【図２】人造竹弓の請求項１に関わる作成の節作成工程を示す図である。
【符号の説明】
【００１２】  １  人造竹弓の素材
２  繊維性浸透性帯
３  浸透性硬化性接着剤
４  補強用塗装
【図１】
0003128757.tif 000003
【図２】
0003128757.tif 000004
(57)【要約】【課題】本考案は、洋傘骨を高剛性の棒を内包するインサート成形をして、デザイン面の制約と、射出成形だけでは不足する剛性の両問題を解決する。【解決手段】本考案は、高剛性の棒１を射出成形部分５の中に高剛性の棒の固定部２、押さえ３、流れ止め４をそれぞれ設けインサート成形する事により高剛性の棒を内包する高い剛性で、良いデザインを併せ持つ洋傘骨になる。【選択図】図３
0003128753.tif 000002
【実用新案登録請求の範囲】
【請求項１】
高剛性の棒を内包するようにインサート成形した洋傘骨。
【考案の詳細な説明】
【技術の分野】
【０００１】  本考案は、高剛性の棒を内包するようインサート成形した洋傘骨に関する。
【背景技術】
【０００２】  従来の洋傘骨は高剛性の棒が外から見えていた。
【考案の開示】
【考案が解決しようとする課題】
【０００３】  しかし、これでは、高剛性の棒たとえば溝地金やカーボン繊維の棒などが見えて、意匠デザイン上制限され、課題となっていた。
【課題を解決するための手段】
【０００４】  そこで、高剛性の棒を外観上、極力邪魔にならない場所で支え、射出成形で外側を包み込むようにインサート成形し、デザイン面の制約を解決すると共に、射出成形だけでは不足しがちな剛性の問題を解決するものである。
【考案の効果】
【０００５】  よって、本考案の洋傘骨により、色や形状でデザイン上の制約が少なくなると共に、高剛性の棒をインサートすることにより単なる射出成形では不足しがちな剛性を与えることが出来、洋傘骨として良い機能、良いデザインを併せ持つ洋傘骨が製造できる。
【考案を実施するための最良の形態】
【０００６】  本考案に係る洋傘骨は高剛性の棒をデザイン上出来るだけ邪魔にならないよう、連結部や側面、傘生地でカバーされる上面、および端面で出来るだけ強度面で平均化するような支持部で支える構造とする。
【図面の簡単な説明】
【０００７】
【図１】  従来の洋傘骨の外観図である。
【図２】  本考案に係る洋傘骨の外観図である。
【図３】  本考案に係る洋傘骨の内包される高剛性剤の位置を示す断面図
【図４】  本考案に係る洋傘骨の断面図
【符号の説明】
【０００８】  １      カーボン繊維棒などの高剛性の棒
２      高剛性棒の固定部
３      高剛性棒の押さえ
４      高剛性棒の流れ止め
５      射出成形部分
【図１】
0003128753.tif 000003
【図２】
0003128753.tif 000004
【図３】
0003128753.tif 000005
【図４】
0003128753.tif 000006
(57)【要約】      （修正有）【課題】脱衣が容易な肌着を提供する。【解決手段】肩部分及び体格部分を有する本体と、肩部分に位置する第１の結合部と、体格部分に位置する第２の結合部とを備え、それによって、第１の結合部と第２の結合部をつなぐことによって本体が身に着けられ、第１の結合部と第２の結合部を切り離すことによって本体が脱がされる、容易に脱衣可能な肌着とする。【選択図】図１
0003136895.tif 000002
【実用新案登録請求の範囲】
【請求項１】
肩部分及び体格部分を有する本体と、
前記肩部分に位置する第１の結合部と、
前記体格部分に位置する第２の結合部と、を備える、容易に脱衣可能な肌着であって、
前記本体は、前記第１の結合部と前記第２の結合部をつなぐことによって身に着けられ、前記第１の結合部と前記第２の結合部を切り離すことによって脱がされる肌着。
【請求項２】
前記第１の結合部は一対のベルクロ（登録商標）であり、
前記第２の結合部は一対のベルクロであることを特徴とする、請求項１に記載の肌着。
【請求項３】
前記第１の結合部は一対のリボンであり、
前記第２の結合部は一対のリボンであることを特徴とする、請求項１に記載の肌着。
【請求項４】
前記第１の結合部は一対のボタンであり、
前記第２の結合部は一対のボタンであることを特徴とする、請求項１に記載の肌着。
【考案の詳細な説明】
【技術分野】
【０００１】
本考案は、肌着に関し、特に、容易に脱衣可能な肌着に関する。
【背景技術】
【０００２】
現在の肌着市場には、多くの種類の型が存在する。
人々は、個人の衛生及び健康のために身体に肌着をいつも着用している。
汗をかいた後肌着を着替えることで、冷えを防ぐことができる。
【０００３】
従来の肌着は、大抵、頭から身体にかぶる。おそらく次に上着を合わせるだろう。もし屋外でスポーツをして汗をかけば、肌着を脱ぐ必要があるかもしれない。公衆の面前は、上着を脱いで、それから肌着を脱ぐのにふさわしくはない。また、公共の場で裸になるのはかなり見苦しい。
活動又はスポーツをしている生徒の中には、汗によって肌着を頻繁に濡らす者もいる。もし身体から肌着を脱がなければ、彼らは帰宅した後きっと冷えているだろう。とりわけ、冬場は、寒さに耐えられずに上着を脱いで、それから肌着を脱いでしまう。
【０００４】
肌着は、従来のデザインでは着替えや脱衣が容易ではないため、大部分の生徒又は子供たちは、トイレや秘密の場所に入って肌着を着替えたり脱いだりしなくてはならない。
もし肌着を着替える場所がなければ、たとえ濡れた肌着のために風邪をひく結果になるとしても、濡れた肌着の不快感に耐えなければならない。
【０００５】
その他の側面では、長期間の病人はいつもベッドに横になり、ベッドから出るのは不便であるため、肌着の着替えは、容易ではない。
【考案の開示】
【考案が解決しようとする課題】
【０００６】
本考案の目的は、脱衣が容易な肌着を提供することである。
【０００７】
本考案のその他の目的は、安価に製造される肌着を提供することである。
【課題を解決するための手段】
【０００８】
本考案に従えば、容易に脱衣可能な肌着は、肩部分及び体格部分を有する本体と、肩部分に位置する第１の結合部と、体格部分に位置する第２の結合部と、を備え、本体は、第１の結合部及び第２の結合部をつなぐことによって身に着けられ、第１の結合部及び第２の結合部を切り離すことによって脱がされる。
【０００９】
本考案の一様態に従えば、第１の結合部は、一対のベルクロ（登録商標）であり、第２の結合部は、一対のベルクロである。
【００１０】
本考案の一様態に従えば、第１の結合部は、一対のリボン（紐状のもの）であり、第２の結合部は、一対のリボンである。
【００１１】
本考案の一様態に従えば、第１の結合部は、一対のボタンであり、第２の結合部は、一対のボタンである。
【考案の効果】
【００１２】
本考案は、肌着の周囲の結合部のデザインによって、従来技術を向上する。利益は以下の通りである。
１．本肌着は、どこでも身体から脱ぐのに便利である。
２．本肌着は、容易に、安価に製造される。
【考案を実施するための最良の形態】
【００１３】
本考案は、添付の図面を参照して以下の説明を通して最良に理解されるだろう。
【００１４】
図１は、本考案に従う肌着を示す。
本体１１、及び肩部分１Ａ及び体格部分１Ｂに位置するいくつかの結合部１２、１３、１４、１５、及び１６がある。
結合部１２及び１３は、肩部分１Ａに取り付けられ、結合部１４、１５、及び１６は、本体１１の体格部分１Ｂに取り付けられる。もちろん、結合部の位置は、図１における位置に限らない。結合部の位置は、容易に脱衣するためのどんな位置にデザインしてもよい。
各結合部としては、一対のベルクロ、一対のリボン（紐状のもの）、又は一対のボタンが可能である。
【００１５】
図２は、本考案に従う、広げた肌着を示す。
肌着の本体２１は、５対（２４、２９）、（２３、３０）、（２３、３１）、（２８，２５）、（２６，２７）の結合部を離すことによって衣服の一部分として脱ぐことができる。
もちろん、肌着の本体１１は、５対（２４、２９）、（２３、３０）、（２３、３１）、（２８，２５）、（２６，２７）の結合部をつなぐことによって身体に着用することができる。
【００１６】
もし屋外でスポーツをして汗をかけば、どこでも、たとえ公共の場でも容易に身体から肌着を離すことができる。
もし生徒が活動又はスポーツをして肌着を濡らしても、身体から素早く肌着を脱ぎ、冷えを防ぐことができる。冬場には、直接肌着を脱ぐことができ、冷えに耐えずに上着を脱ぐ。
【００１７】
本考案に従う肌着は、脱衣が容易なため、生徒や子供たちは、どこでも肌着を着替えたり脱ぐことができる。
これは、生徒、運動する人、及び長期の病人にとって非常に便利で有用である。
【００１８】
本考案は、最も実用的で好適な実施形態であると現在考えられるものという観点から説明したが、本考案は開示された実施形態に限られる必要はないことは理解されるべきである。それどころか、全てのそのような変形及び同様の構造を含むように、最も広い解釈に一致されるべき添付の実用新案登録請求の範囲の精神及び範囲内に含まれる様々な変形及び同様の処理を対象とすることを意図している。
【図面の簡単な説明】
【００１９】
【図１】本考案に従う肌着の説明図である。
【図２】本考案に従う、広げた肌着の説明図である。
【図１】
0003136895.tif 000003
【図２】
0003136895.tif 000004
(57)【要約】      （修正有）【課題】袋本体全体を編み物で構成して、袋本体の側部内側に縫い代を無くし、でこぼこの不快感をなくし、同時に足先全体にフィットして着用感を良くし、且つ指先の締め付けによる外反拇指になる恐れをなくし、更にはターンするときの指を開きやすくしてスムーズなターン動作をし易くし、余裕のあるスムーズな体操競技を出来るようにする。【解決手段】足先を覆う袋本体の開口部はゴム入り編み部とし、このゴム入り編み部からリングトゥ部までをゴム入りの半パイル糸で編みたて、一方の閉じ口縁を形成し、足裏はリングトゥ部からトゥ部、甲側までを厚さを増すため複数本の糸を加えて、トゥ部の側面部にのみＹ字状のゴアラインを形成し、且つトゥ部の先端中央部にはゴアラインを形成しないで閉じ口まで成編して他方の閉じ口縁を形成し、一方の閉じ口縁と閉じて袋本体を形成し、開口部の側部、足裏には締め付けゴム紐を設ける。【選択図】図１
0003136899.tif 000002
【実用新案登録請求の範囲】
【請求項１】
足先を覆う袋本体の開口部はゴム入り編み部とし、このゴム入り編み部からリングトゥ部までをゴム入りの半パイル糸で編みたてて甲側は編み加工を止めて一方の閉じ口縁を形成し、足裏はリングトゥ部からトゥ部、甲側までを厚さを増すため複数本の糸を加えて全パイル糸でトゥ部の側面部にのみY字状のゴアラインを形成し、且つトゥ部の先端中央部にはゴアラインを形成しないで閉じ口まで成編して他方の閉じ口縁を形成し、この他方の閉じ口縁は前記一方の閉じ口縁と閉じて袋本体を形成し、開口部の側部、足裏には締め付けゴム紐を設けて成る体操用ハーフシューズ。
【考案の詳細な説明】
【技術分野】
【０００１】
本考案は新体操などの体操時に使用するもので、つま先部を覆うハーフシューズに関する。
【背景技術】
【０００２】
従来この種のハーフシューズは、つま先部に相応する底生地と甲生地とを袋状に縫い合わせて袋本体を形成し、その袋本体の開口部縁に締めゴム紐を取付けたものと成っている。
そのため袋本体の側部内側に縫い代が突出するようになって、でこぼこの不快感や袋本体と足との間に隙間を作ってしまって着用感が劣り、且つ指先に締め付け感が生じて外反拇指になる恐れがあり、更にはターンするときの指の開き具合が窮屈となりスムーズな体操が出来なくなるなどの欠点があった。
【考案の開示】
【考案が解決しようとする課題】
【０００３】
そこで本考案は、袋本体全体を編み物で構成して、袋本体の側部内側に縫い代を無くしてでこぼこの不快感をなくし、同時に足先全体にフィットして着用感を良くし、且つ指先の締め付けによる外反拇指になる恐れをなくし、更にはターンするときの指を開きやすくしてスムーズなターン動作をし易くし、余裕のあるスムーズな体操競技を出来るようにしたものである。
【課題を解決するための手段】
【０００４】
足先を覆う袋本体の開口部はゴム入り編み部とし、このゴム入り編み部からリングトゥ部までをゴム入りの半パイル糸で編みたてて甲側は編み加工を止めて一方の閉じ口縁を形成し、足裏はリングトゥ部からトゥ部、甲側までを厚さを増すため複数本の糸を加えて全パイル糸でトゥ部の側面部にのみY字状のゴアラインを形成し、且つトゥ部の先端中央部にはゴアラインを形成しないで閉じ口まで成編して他方の閉じ口縁を形成し、この他方の閉じ口縁は前記一方の閉じ口縁と閉じて袋本体を形成し、開口部の側部、足裏には締め付けゴム紐を設けて成る体操用ハーフシューズである。
【考案の効果】
【０００５】
本考案の効果として、袋本体全体を編み物で構成して、袋本体の側部内側には縫い代が無くてでこぼこの不快感がなく、同時に足先全体にフィットして着用感が良く、且つ指先の締め付けによる外反拇指になる恐れもなく、更にはターンするときの指を開きやすくしてスムーズなターン動作ができ、余裕のあるスムーズな体操競技が出来る。
殊にトゥ部の側面部にのみY字状のゴアラインが形成し、且つトゥ部の先端にはゴアラインを形成していないのでトゥの先端部は大容量となり指が開きやすく、殊にターン動作等がしやすく高度の演技で高得点につながる。
【実施例】
【０００６】
本案を図示の実施例により詳記すると、足先を覆う袋本体１の開口部２はゴム入りWウエルト等のゴム入り編み部３とし、このゴム入り編み部３からリングトゥ部４までをゴム入りの半パイル糸９で編みたてて甲側５は編み加工を止めて一方の閉じ口縁６を形成し、足裏７はリングトゥ部４からトゥ部８、甲側５までを厚さを増すため複数本の糸を加えて全パイル糸１０でトゥ部８の側面部にのみY字状のゴアライン１１を形成し、且つトゥ部８の先端中央部１２にはゴアラインを形成しないで閉じ口まで成編して他方の閉じ口縁１３を形成し、この他方の閉じ口縁１３は前記一方の閉じ口縁６と閉じて袋本体１を形成し、開口部２の側部１４、足裏７には締め付けゴム紐１５，１６を設けて成るものである。
【図面の簡単な説明】
【０００７】
【図１】本考案に係る体操用ハーフシューズの正面説明図。
【図２】同側面説明図
【図３】同背面説明図
【図４】同底面説明図
【図５】側面から見た従来品と本案体操用シューズの比較説明図
【符号の説明】
【０００８】
１：袋本体
２：開口部
３：ゴム入り編み部
４：リングトゥ部
５：甲側
６：閉じ口縁６
７：足裏
８：トゥ部
９：半パイル糸
１０：全パイル糸
１１：ゴアライン
１２：先端中央部
１３：閉じ口縁
１４：側部
１５：ゴム紐
１６：ゴム紐
【図１】
0003136899.tif 000003
【図２】
0003136899.tif 000004
【図３】
0003136899.tif 000005
【図４】
0003136899.tif 000006
【図５】
0003136899.tif 000007
(57)【要約】      （修正有）【課題】ゴルフボールを打ったとき、インパクト瞬間のゴルフクラブのヘッドの軌道が確認できない。フックボールやスライスボールの矯正、またアウトサイドインやインサイドアウトの軌道を確認する方法を提供。【解決手段】ゴルフクラブのソール面４にクラブフェース面の底辺に対し、垂直となる１本あるいは、複数の直線の溝６を入れる。【選択図】図２
0003136807.tif 000002
【実用新案登録請求の範囲】
【請求項１】
ゴルフクラブのソール面にクラブフェース面の底辺に対し垂直な溝を入れたゴルフクラブ
【考案の詳細な説明】
【技術分野】
【０００１】この考案はゴルフボールを打ったとき、インパクト瞬間のクラブヘッドの軌道が確認できるゴルフクラブに関するものである。
【背景技術】
【０００２】従来、ソール面にはゴルフクラブの番手あるいは、ロフト角度が表示されている。
【考案の開示】
【考案が解決しようとする課題】
【０００３】ゴルフボールを打ったとき、インパクト瞬間のゴルフクブのヘッド軌道が確認できない。
【課題を解決するための手段】
【０００４】ゴルフクラブのソール面にクラブフェース面の底辺に対し垂直な直線の溝を入れる。
【考案の効果】
【０００５】ゴルフボールを打ったあとのゴルフクラブのソール面を見ると、ゴルフ練習場のゴルフマットの跡やゴルフ場の芝の跡が直線状に残り、ゴルフクラブのヘッド軌道が確認できる。フックボールやスライスボールの矯正あるいは、アウトサイドインやインサイドアウトなどのクラブヘッドの軌道確認ができる。
【考案を実施するための最良の形態】
【０００６】ゴルフクラブのソール面にクラブフェース面の底辺に対し、垂直となる１本あるいは、複数の直線の溝を入れる。
【図面の簡単な説明】
【図１】ゴルフクラブの正面図
【図２】本考案の斜視図
【符号の説明】
１  ゴルフクラブのフェース面
２  ゴルフクラブのシャフト
３  クラブフェース面の底辺
４  ゴルフクラブのソール面
５  ゴルフクラブの番手
６  クラブフェース面の底辺に垂直に入れた溝
【図１】
0003136807.tif 000003
【図２】
0003136807.tif 000004
(57)【要約】      （修正有）【課題】ピストンはＯリング等シール部品を必要とせず、単一の部材で形成でき、安価に提供できるようにする。【解決手段】プラスチックシリンジの内径より若干大径の突起リング３をピストン外周に形成すると共に、中心部にネジ穴５を貫通刻設した円盤状ピストン１を提供する。【選択図】図１
0003136809.tif 000002
【実用新案登録請求の範囲】
【請求項１】
プラスチックシリンジの内径より若干大径の突起リングをピストン外周に形成すると共に、中心部にネジ穴を貫通刻設した円盤状ピストン。
【考案の詳細な説明】
【技術分野】
【０１】プラスチックシリンジに充填された液状物を押し出すピストンに関する。
【背景技術】
【０２】エポキシ樹脂、クリームハンダ、接着剤等を充填したシリンジの液を押し出すためのピストンとして、ゴム製のもの、プラスチックのもの、金属製のもの等がある。プラスチックや金属製の場合、洩止めのＯリングを装着している。
【課題】
【０３】Ｏリングは対薬品性が低いため使用に難があり、特に有機溶剤を含む液には適応できない。又使用後に有機溶剤で洗浄する場合は耐溶剤用Ｏリングを必要としコスト高になる。
【０４】シリンジに液を充填した後にピストンを挿入する場合、シリンジ内の空気を逃がす必要があるが、従来市販品は空気逃がしが容易でない。
【解決手段】
【０５】プラスチックシリンジの内径より若干大径の突起リングをピストン外周に形成すると共に、中心部にネジ穴を貫通刻設した円盤状ピストンを提供する。
【作用】
【０６】ピストンをシリンジに挿入すると、突起リングと接触するシリンジ壁は、弾性でふくらみ、圧接してシリンジ内の気密を保ち、液洩れを防止する。
【０７】ピストンを貫通するネジ穴は、押し込み時に内部の空気を逃がし、その後ピストンロッドのネジ部を連結してネジ穴を封止する。
【実施例１】
【０８】ピストン１は円盤状で、外径は適応シリンジの内径より若干小さくしてガイド部２とし、左端外周に突起リング３を形成する。突起リング３の外径はシリンジの内径より若干大きく形成する。突起リング３の形状は三角のネジ山状とする。突起の先端はシリンジ壁面を傷つけないように円弧状とする。【０９】ピストン１の左端面は皿状凹面４を形成し、中心に貫通のネジ穴５を刻設する。
【作用】
【１０】ピストン１をシリンジに挿入すると、突起リング３と接触するシリンジ壁は、弾性でふくらみ、ピストン１の移動は可能であるが、圧接してシリンジ内の気密を保ち、液洩れを防止する。
【１１】皿状凹面４はピストン１をシリンジ内に挿入すると、ネジ穴５より空気を逃がし、液を中心部に寄せ、シリンジ内部に空気を残さない。ネジ穴５に押し込み用のピストンロッドを連結する。
【効果】
【１２】ピストン１はＯリング等シール部品を必要とせず、単一の部材で形成でき、安価に提供できる。
【１３】シリンジ内の空気を簡単に抜ける。
【１４】ピストン１はシリンジとの摩擦力でかなり硬く保持されているので、ピストンロッドのネジ部をねじ込むのが容易である。
【１５】突起リング３の形状は三角のネジ山状としているので、シリンジ壁面を用意にふくらますことが出来、接触面積が非常に小さいから摩擦抵抗も小さく、ピストンロッドの押し込み力を小さくできる。
【１６】突起リング３の形状は小さな丸突起、角突起、複数の突起とする等、形状は任意である。
【１７】ガイド部２はピストン１の傾きを防止し、滑らかな押し込みを計れる。
【図面の簡単な説明】
【１８】
【図１】  実施例１のピストン１の断面図
【符号の説明】
【１９】１：ピストン    ２：ガイド部    ３：突起リング    ４：皿状凹面    ５：ネジ穴
【図１】
0003136809.tif 000003
(57)【要約】【課題】    不特定多数の人により繰り返し使用されるスリッパは、非衛生的である。スリッパそのものを単回使用とするには費用が掛かり過ぎる。中敷きをスリッパと足裏の間に挿入するだけでは、落ち着きが悪く、その使い心地が良くない。【解決手段】スリッパを使用する人の足裏と、スリッパとの間に、単回使用の中敷き１を挿入し使用することとする。スリッパの中敷き１の、スリッパ側との接触面の一部ないし全部に、適当な粘着力をもった糊２を塗布することにより、使用時に外れたり、移動することが無くなる。糊の粘着力を制御することにより、使用後には容易にスリッパより取り外すことができる。【選択図】図１
0003136805.tif 000002
【実用新案登録請求の範囲】
【請求項１】
スリッパと、スリッパ使用者の足裏との間に挿入し、使用中にはスリッパからの脱落やズレが起こらないように接着でき、使用後には容易にスリッパから取り去る事が出来る、着脱可能な為の糊を一部分あるいは全部に塗布したスリッパの中敷き。
【考案の詳細な説明】
【技術分野】
【０００１】本考案は、スリッパを衛生的に使うための、スリッパの中敷きに関するものである。
【背景技術】
【０００２】旅館や病院などでは、不特定多数の使用者により共用され使用される場合が多い。亦、スリッパが使用されていない間には、左右のスリッパを重ねて収納したりする場合もあり、いずれにせよ不衛生である。
【考案の開示】
【考案が解決しようとする課題】
【０００３】共用して使うスリッパは、不特定多数の人により使われるが故に、往々にして、その衛生面がないがしろにされてきた。
【課題を解決するための手段】
【０００４】スリッパと、履く人の足裏との間に、薄紙ないし薄布を入れることにより、足裏及び足指部とスリッパとの直接の接触が断たれるようにする。
【考案の効果】
【０００５】不特定多数の人が、同じスリッパを繰り返し使用した場合、不衛生な足をした人が使用した後に、洗浄することなくそのまま別の人が使用すると、前に使用した人が足の部分に持っていた菌類の伝搬などが起こりうるが、そもそも、足の部分とスリッパの部分との直接の接触を避けることにより、後の使用者が不衛生な伝搬を受けることなく、安心してスリッパを使用することができる。
【考案を実施するための最良の形態】
【０００６】本考案品を使う人の、足裏かかと部があたる部分の裏側には、容易にはがせる程度の粘着性をもった糊を塗布することにより、本考案品とスリッパとを付着させて使用することができ、不意に本考案品が脱落したり移動することがなくなる。本考案品は、その幅を適宜大きくしておくことにより、スリッパの内部先端部では、自然に使用者の足指を包み込むような形状になり使われ、使用者の足指部分がスリッパと直接接触する可能性はさら低くなる。本考案品は同一人においてのみ使われることが望ましい。
【実施例】
【０００７】本体１を、予め多重層に重ねておくことにより、使用者が、靴からスリッパへ履き替えようとする場合、適時、一枚ずつをはぎ取り、左右のそれぞれのスリッパの中へ本体先端部から挿入し、本体１に塗布された軽粘着性糊２でスリッパのかかと相当部分へ固定することにより、使用中に移動したり脱落する違和感がなくなる。使用が終了した場合には、剥がし廃棄する
【産業上の利用可能性】
【０００８】病院や旅館などで用意されているスリッパは、不特定多数の人で共用される場合が多いが、誰が以前に使用したか判らないものを履かねばならないのは苦痛である。そのような非衛生の可能性を排除できる利点から、導入が検討される。
本考案品を直接広告媒体とすることも可能であり、導入の為の経費負担が軽減されることが考えられる。
【図面の簡単な説明】
【０００９】
【図１】  本考案品の正面図である。
【図２】  本考案品のＡ−Ａ‘における断面図である。
【符号の説明】
【００１０】  １  スリッパの中敷き本体
２  粘着性をもち着脱容易な糊
３  本体を使用前、多層に重ね、吊るしておくためのフックを通すための穴
【図１】
0003136805.tif 000003
【図２】
0003136805.tif 000004
(57)【要約】      （修正有）【課題】回転鋸の軽量化を保持しつつ、使用時に被切断物と衝接して発生する騒音振動の低減および衝接時の衝撃力に対する強度の確保を図る。【解決手段】回転鋸は取付孔４１を有する台金４２の中間部から周縁部にかけて穿設された多数の透孔４３からなり、台金の中間部および周縁部において周方向に波形状スリット４４および４５を適宜の間隔をとって等配的に配し、スリットに低硬度樹脂を充填し、かつスリットを挟んだ左右両側の鋸身面４６に跨らせて肉盛状に塗布する。さらに周縁部に配したスリット４５の終端部４７から歯底４８に向かって鋸身面４６に樹脂を線状に塗布することにより、軽量化の保持ならびに使用時に被切断物と衝接して発生する騒音振動の低減および衝接時の衝撃力に対する強度の確保を実現する。【選択図】図４
0003136808.tif 000002
【実用新案登録請求の範囲】
【請求項１】
台金の中間部から周縁部にかけて穿設された多数の透孔ならびに中間部および周縁部において周方向に適宜の間隔をとって等配的に配した波形状のスリットからなり、該スリットに低硬度の樹脂を充填し、さらに該スリットを挟んだ左右両側の鋸身面に跨らせて該樹脂を肉盛状に塗布し、かつ周縁部に配した該スリットの終端部から歯底に向かって鋸身面に該樹脂を線状に塗布したことを特徴とする回転鋸。
【考案の詳細な説明】
【技術分野】
【０００１】  本考案は多数の透孔を有する台金に波形状スリットを設け、低硬度樹脂を該スリットに充填し、かつ鋸身面に線状に塗布することによって、軽量化を保持しつつ、使用時に被切断物と衝接して発生する騒音振動の低減および衝接時の衝撃力に対する強度の確保を図った回転鋸を提供するものである。
【背景技術】
【０００２】  従来の軽量化を図った回転鋸は図１に示すタイプ１のように取付孔を有する台金の中間部から周縁部にかけて穿設された多数の透孔１１を有するものが代表的であった。また、従来の騒音振動の低減を図った回転鋸は図２に示すタイプ２のように一端が歯底２１に開口し、軸心方向に延長するスリット２２および台金中間部において周方向に延長するＳ字状スリット２３を適宜の間隔で配し、該スリット内に低硬度樹脂を充填し、特にスリット２２によって被切断物との衝接時に歯部２４で発生する騒音振動を速やかに吸収できるよう図ったもの、あるいは図３に示すタイプ３のように台金３１に透孔群部３２と無孔部３３を等配的に配し、無孔部に形成したスリット３４内に低硬度樹脂を充填することにより、騒音振動の低減を図ったものがあった。
【考案の開示】
【考案が解決しようとする課題】
【０００３】  前述のタイプ１は軽量化を追求した結果、騒音振動を吸収するための低硬度樹脂を充填するスリットを配する余地がなく、また前述のタイプ２はスリット２２が歯底から軸心方向へ延長する形状に起因し、被切断物との衝接によって発生する衝撃力がスリット２２に対して割裂作用を及ぼし、回転鋸の強度を低下させる一因となっている。また、タイプ３はスリットを配するべく台金に広範囲の無孔部３３を設けているため、軽量化を犠牲にした構造となっている。
【課題を解決するための手段】
【０００４】  本考案の回転鋸は取付孔を有する台金の中間部から周縁部にかけて穿設された多数の透孔からなり、台金の中間部および周縁部において周方向に波形状のスリットを適宜の間隔をとって等配的に配し、該スリットに低硬度の樹脂を充填し、かつスリットを挟んで左右両側の鋸身面に跨らせて肉盛状に塗布する。さらに周縁部に配した該スリットの終端部から歯底に向かって鋸身面に該樹脂を線状に塗布することにより、上記課題を解決するものである。
【考案の効果】
【０００５】  上記のように本考案の回転鋸は多数の透孔を台金全体に有しつつ、波形状のスリットを配することにより、軽量化の保持および騒音振動の軽減を両立させ、さらにスリット終端部から歯底に向かって鋸身面に低硬度樹脂を線状に塗布することにより、回転鋸と被切断物との衝接時に歯部で発生する騒音振動を低硬度樹脂によって速やかに吸収することが可能となる。【０００６】  スリットを周方向に波形状に配したことにより、直線状あるいはＳ字状のスリットに比べ周方向単位長当たりの低硬度樹脂充填量が増大するため、騒音振動の原因である振動エネルギーが熱エネルギーへ変換されるエネルギー量が増大し、すべての周波数域において騒音振動が低減される。また歯底に開口するスリットを有しないため、回転鋸に割裂が生じ難い構造となっている。
【考案を実施するための最良の形態】
【０００７】  回転鋸台金の中間部から周縁部にかけて穿設された多数の透孔ならびに中間部および周縁部において周方向に適宜の間隔をとって等配的に配した波形状のスリットを形成し、該スリット内への低硬度樹脂の充填および該スリットを挟んだ左右両側の鋸身面に跨らせて該樹脂を肉盛状に塗布し、さらに周縁部に配した該スリット終端部から歯底に向かって鋸身面に該樹脂を線状に塗布することにより実現する。
【実施例】
【０００８】  本考案の回転鋸を図４、図５、図６及び図７において説明すると、取付孔４１を有する台金４２の中間部から周縁部にかけて穿設された多数の透孔４３からなり、台金の中間部および周縁部において周方向に波形状のスリット４４および４５を適宜の間隔をとって等配的に配し、該スリットに低硬度樹脂５１を充填し、かつスリットを挟んだ左右両側の鋸身面４６に跨らせて肉盛状に塗布する。さらに、周縁部に配した該スリット４５の終端部４７から歯底４８に向かって鋸身面４６に該樹脂を線状に塗布する。
【図面の簡単な説明】
【０００９】
【図１】従来のタイプ１の正面図
【図２】従来のタイプ２の正面図
【図３】従来のタイプ３の正面図
【図４】本考案の正面図
【図５】本考案のスリット部拡大図
【図６】本考案のスリット部Ａ−Ａ断面図
【図７】本考案の鋸身部Ｂ−Ｂ断面図
【符号の説明】
【００１０】  １１は従来のタイプ１の透孔
２１は従来のタイプ２の歯底
２２は従来のタイプ２のスリット
２３は従来のタイプ２のＳ字状のスリット
２４は従来のタイプ２の歯部
３１は従来のタイプ３の台金
３２は従来のタイプ３の透孔群部
３３は従来のタイプ３の無孔部
３４は従来のタイプ３のスリット
４１は本考案の取付孔
４２は本考案の台金
４３は本考案の透孔
４４は本考案の台金中間部に配する波形状のスリット
４５は本考案の台金周縁部に配する波形状のスリット
４６は本考案の鋸身面
４７は本考案の台金周縁部に配する波形状のスリットの終端部
４８は本考案の歯底
５１は本考案の低硬度樹脂
【図１】
0003136808.tif 000003
【図２】
0003136808.tif 000004
【図３】
0003136808.tif 000005
【図４】
0003136808.tif 000006
【図５】
0003136808.tif 000007
【図６】
0003136808.tif 000008
【図７】
0003136808.tif 000009
(57)【要約】      （修正有）【課題】雰囲気温度による結象点のズレが生じないＥＮＧレンズ自動焦点補正機構を提供する。【解決手段】ＥＮＧレンズのマクロ機構部内に熱膨脹係数の大きなジュラコンリングと結象レンズ群の位置決めスプリングに拠って、結象レンズ群を前後に微動させ焦点を自動補正する機構を組み込む事によって、雰囲気温度の変化に拠る焦点ずれの無いＥＮＧレンズが提供出来る。【選択図】図２
0003136804.tif 000002
【実用新案登録請求の範囲】
【請求項１】
対物レンズ群４枚その後にズーム機構に保持される可動の変倍レンズ群４枚構成と補正レンズ群２枚構成があり、その後に５枚構成のリレーレンズ群と最後にマクロ機構に保持された４枚構成の結象レンズ群の全１９枚構成の高倍率ズーム機構・マクロ機構搭載の３ＣＣＤカメラ用ＥＮＧレンズが一般的であるが、その構成に於いてマクロ機構部に組み込んだジュラコンリングと位置決めスプリングの作用に拠ってレンズ全体の雰囲気温度の変化によって発生する焦点位置のズレを４枚構成の結象レンズ群が移動する事により、雰囲気温度に対し自動補正し、結象面に於ける焦点ずれを無くした３ＣＣＤカメラ用ＥＮＧレンズ自動焦点補正機構。
【考案の詳細な説明】
【技術分野】
【０００１】  本考案は、３ＣＣＤカメラ用ＥＮＧレンズの雰囲気温度に対する自動焦点補正に関する物である。【０００２】  従来３ＣＣＤカメラ用ＥＮＧレンズは、対物レンズ群４枚構成の内第２第３の２枚は低分散ガラスを使用、その後ろに可動する変倍レンズ群４枚構成と補正レンズ群２枚構成に拠るズーム機構の後にリレーレンズ群５枚構成の内第３レンズに低分散ガラスを使用、その後にマクロ機構に保持された結象レンズ群４枚構成の内第１第２及び第４レンズに低分散ガラスを使用した１９枚のレンズ構成になっている。【０００３】  このＥＮＧレンズは、ズーム機構及びマクロ機構を搭載し、マウント機構には１／２”バヨネットマウントが採用されている。【０００４】
【特許文献】  実願  ２００４−００４８９６
【非特許文献】
【考案の開示】
【考案が解決しようとする課題】
【０００５】  従来の３ＣＣＤカメラ用ＥＮＧレンズはＷｉｄｅ〜Ｔｅｌｅまで（２４Ｘ）ズームで、倍率色収差を少なくするため全１９枚のレンズ構成の内、対物レンズ群に２枚、リレーレンズ群に１枚結象レンズ群に３枚の計６枚の熱膨脹係数の大きい低分散ガラス製レンズを使用する為結象面に対する焦点が雰囲気温度に拠り変動する問題が出てきた。
【課題を解決するための手段】
【０００６】  ４枚の結象レンズ群を保持するマクロ機構のレンズ保持筒（１１）の外側に熱膨脹係数の大きなジュラコンリング（１２）と調整リング（１４）をはめ込み、その外側にマクロ位置決め筒（１５）を、更にその外側にマウント取り付け外筒（１６）をはめ込みリレーレンズ群保持筒（１７）の外側からマクロ機構レンズ保持筒（１１）の間にスプリング（１８）を設け結象レンズ群（５Ａ〜５Ｄ）の焦点が常に結象面にある様に補正することを特徴とするマクロ機構を構成する。
【考案の効果】
【０００７】  本考案のマクロ機構内組み込みの雰囲気温度による結象レンズの焦点変動補正機構の採用により常温でマクロ機構で設定した結象面焦点は雰囲気温度による変動がなく画質の劣化が起こらないＥＮＧレンズを提供出来る。
【考案を実施するための最良の形態】
【０００８】  従来の雰囲気温度による焦点ズレの起きやすいＥＮＧレンズの形態。
【実施例１】
【０００９】  図１は本考案実施例の３ＣＣＤカメラ用ＥＮＧレンズの縦断面図で、図２に拠って考案の詳細な説明をする。結象レンズ群（５Ａ〜５Ｄ）保持筒（１１）の外側に熱膨脹係数の大きなジュラコンリング（１２）と調整リング（（１４）をはめ込み、その外側にマクロ位置決め筒（１５）をかぶせ、マウント取り付け外筒（１６）内にリレーレンズ群保持筒（１７）外側と結象レンズ群保持筒（１１）の間に結象レンズ群（５Ａ〜５Ｄ）位置決めスプリング（１８）を入れて、マクロ位置決め筒に組み込んだ結象レンズ群を挿入し、マクロビス（１３）をセットし常温でマクロリング（１９）・クリックノブ（８）によって焦点調整・固定が行はれ、雰囲気温度の変化による焦点ボケはシュラコンリング（１２）と位置決めスプリング（１８）の作用に拠って結象レンズ群（５Ａ〜５Ｄ）が前後に修正移動して自動的に焦点ボケが補正される。
【産業上の利用可能性】
【００１０】  ３ＣＣＤカメラ用ＥＮＧレンズとして雰囲気温度に拠る焦点ボケの無い倍率色収差の少ない高画質・高倍率のヅーム機構搭載レンズが提供出来る。
【図面の簡単な説明】
【００１１】
【図１】  本考案実施例ＥＮＧレンズの縦断面図である。
【図２】  本考案の詳細説明図でおる。
【符号の説明】
【００１２】  １Ａ…‥対物レンズ群  第１レンズ
１Ｂ…‥対物レンズ群  第２レンズ  （低分散ガラス）
１Ｃ…‥対物レンズ群  第３レンズ  （低分散ガラス）
１Ｄ…‥対物レンズ群  第４レンズ
２Ａ…‥変倍レンズ群  第１レンズ
２Ｂ…‥変倍レンズ群  第２レンズ
２Ｃ…‥変倍レンズ群  第３レンズ
２Ｄ…‥変倍レンズ群  第４レンズ
３Ａ…‥補正レンズ群  第１レンズ
３Ｂ…‥補正レンズ群  第２レンズ
４Ａ…‥リレーレンズ群  第１レンズ
４Ｂ…‥リレーレンズ群  第２レンズ
４Ｃ…‥リレーレンズ群  第３レンズ  （低分散ガラス）
４Ｄ…‥リレーレンズ群  第４レンズ
４Ｅ…‥リレーレンズ群  第５レンズ
５Ａ…‥結象レンズ群  第１レンズ  （低分散ガラス）
５Ｂ…‥結象レンズ群  第２レンズ  （低分散ガラス）
５Ｃ…‥結象レンズ群  第３レンズ
５Ｄ…‥結象レンズ群  第４レンズ  （低分散ガラス）
６…‥…レンズ鏡筒
７…‥…ズーム機構
８…‥…マクロ機構  クリックノブ
９…‥…マウント部
１０…‥…アイリス機構
１１…‥…結象レンズ群保持筒
１２…‥…ジュラコンリング
１３…‥…マクロビス
１４…‥…調整リング
１５…‥…マクロ位置決め筒
１６…‥…マウント取り付け外筒
１７…‥…リレーレンズ群保持筒
１８…‥…位置決めスプリング
１９…‥…マクロリング
２０…‥…焼き嵌めリング
２１…‥…光軸
【図１】
0003136804.tif 000003
【図２】
0003136804.tif 000004